(57)【要約】【課題】  防犯や防災のための街灯は，省エネ効果や長寿命，環境に優しいなどの条件を満足する必要があり，とりわけ災害時の緊急避難路を確実に点灯する必要から，十分なバッテリーを備えた白色ＬＥＤ照明が有効である．しかし，照明板自体のフラットな形状や青み掛る特性によって遠くから確認し辛く，人の目にも不向きであった．また，ＬＥＤの指向性から明るさに斑があった．【解決手段】  ＬＥＤの照明板自体を凹または凸の曲率を持つ形状として，離れた場所からの確認を容易にするとともに，より広範囲な場所を明るく照らすことを可能とした．また，ＬＥＤの点灯周波数を路面の形状や距離に応じて変化させ，斜面や起伏のある場所にも均一な明るさで照らすようにした．さらに波長の異なるＬＥＤを光源板に配置し，青み掛る色を暖色系に変化させた．【選択図】  図１
2006310238.tif 000002
【特許請求の範囲】
【請求項１】
凸型または凹型の曲率を有する面，あるいは多面体状の各面に，高輝度ＬＥＤ（発光ダイオード）を複数個並べて配置し、これを光源板として広範囲を照射することのできる照明装置。
【請求項２】
ＬＥＤ（発光ダイオード）光源板に位置する個々のＬＥＤに対し，電流，電圧を一定に保ったまま発光周波数を変化させて光量を調整し，距離や表面反射率の異なる被照射面の明るさを均一にして照射することができる照明装置．
【請求項３】
照明用ＬＥＤ（発光ダイオード）光源板に波長の異なる光を発する複数のＬＥＤを点灯照射する事により，被照射部の凹凸を立体的に認識させ，さらに青色がかる現象を半減して高い視力補填効果を有する照明装置．
【発明の詳細な説明】
【技術分野】
【０００１】  本発明は，ＬＥＤ（発光ダイオード）を光源とした照明装置の光源部分に関する．
【背景技術】
【０００２】  現在のＬＥＤ技術を用いた工業製品は，携帯電話のバックライトや信号機などに見られるように発光部を目視して種々の情報を取得するシステムの構成から、白色ＬＥＤの高効率化の研究と相まってＬＥＤの発光特性を応用したシステムの構成へと発展しつつある。【０００３】  ＬＥＤを照明の発光部，すなわち光源とする場合、白色ＬＥＤ又は昼光色ＬＥＤがおもに使われる。【０００４】  いずれの場合も，これらのＬＥＤ開発において各メーカー及び工場では，輝度を高く上げることに注力し，より高輝度表示（表示測定基準定義）が可能となるよう研究を重ねている．【０００５】  現在工業製品として市場に流通している白色に近いＬＥＤは，青色ＬＥＤの光線を黄色の蛍光体（長残光蛍光体）に照射して発色する方法，または青，緑，赤の同輝度ＬＥＤを近接し，同時発光して白色を得る方法がある．【０００６】  照明用としてＬＥＤを用いる場合，白色以外の色変化は不要であるため，コストを考慮して青色ＬＥＤ単色発光の形式がとられるのが一般的である．
【発明が解決しようとする課題】
【０００７】  高輝度にすればするほど，そこに鋭い（シャープな）指向特性が現れてしまい，スポット照明には適しても，広範囲を明るく照らす必要のある一般的照明には不向きな発光特性となる．
【０００８】  加えて，一般に照明装置に求められる標準仕様は，照明範囲内の全域で均一な目的照度が得られなければならないということである．
【０００９】  しかしながら，ＬＥＤ発光の指向特性を減少させて広範囲を照らそうとすると，十分な目的照度を得られないという課題がある．
【００１０】  一方，電流または電圧が変動すると発色が微妙に変化し，色度相対座標が変動することになる．
【００１１】  現在一般的に利用されている照明用白色ＬＥＤは，電圧または電流が変動すると，構造上青色掛って見える．
【００１２】  人の色に対する感度は比視感度といわれ，青や紫を暗く感じる．青や紫のように波長の短い光ほど屈折率が大きいため，このような光は網膜の手前で像を結んでしまう．この色収差を補正して網膜上で像を結ぶよう水晶体を薄くすることから，実際の物よりも小さく見えてしまうことになる．
【課題を解決するための手段】
【００１３】  本発明はシャープな輝きと明るさを持つ高輝度ＬＥＤを，前方に湾曲した取り付け面に複数個並べた光源として配置する方法によって，広角照明を実現する．
【００１４】  光源ＬＥＤの取り付け面を多角形とし，ＬＥＤの個数を増やして照射範囲を広げた場合には，照射板中央部に位置するＬＥＤと照射板側面に位置するＬＥＤに対して，電流，電圧を一定に保ちながら自動的に変化させる．
【００１５】  このことにより，被照射面の形状が一様に平坦でない場合に対応して，たとえば山間部の斜面に設置した場合にも，照射する全域を対象に均一な照度を確保することを可能とする．
【００１６】  また，光源ＬＥＤ板に埋め込むＬＥＤに波長の異なる複数のＬＥＤを使用し，同時又は交互に点灯照射する．
【００１７】  これは，照明範囲内の凹凸部をさらに立体感覚で認識するという効果を与え，青色がかる現象を半減させ，明るく感じて高い視力補填を行う照明装置となる．
【００１８】  本照明装置はＬＥＤ取り付け面の形状が凸面である場合に限らず，前面球体やさらには凹面体の場合にも同様に効果的と考えられる．
【発明の効果】
【００１９】  このようにＬＥＤ取り付け板の形状を凸構造とすることにより，被照射面の明るさを均一に照射することができる．
【００２０】  またこの照明設備によると，照射部が前面突起した構造のため，離れた場所からの点灯確認が容易であり，このことは方向感覚の認識を迅速化させるなど，災害時避難行動に役立つことが期待される．
【００２１】  また，傾斜した道路面，階段，曲がった道など様々な場所に適応し，ＬＥＤの輝度，周波数及び凹面角度を被照射体の形状に応じて自由に変化させることにより，いかなる場所でも均一な照明を実現することになる．
【発明を実施するための最良の形態】
【００２２】
【００１３】を実現する形状として図１のように，ＬＥＤを縦横に配列させた光源板を考える．下部から見た図１（２）のように，表面を湾曲させ，広範囲の部位を照射可能とする．【００２３】
【００１４】の形状としては図２に示すように，図１（２）の湾曲面を多面状に置き換えたものとする．【００２４】  さらに【００１６】を実現する方法は，例えば図１（Ｉ）のＬＥＤの中で，いくつかのＬＥＤを選択して黄色ＬＥＤとすることで簡単に可能である．
【産業上の利用可能性】
【００２５】  一般的な防犯用街灯として利用すれば，省電力で耐久性があり無騒音である利点を活かすことができる．さらに，太陽光発電システムと併用して設置すると，省エネ効果は絶大であり，電源供給の難しい地域や場所，さらには電源供給の途絶えた場合の防災灯にも最大限の威力を発揮する．【００２６】上述の【００２５】の効果は，本発明を付加することで，より多様な条件下の箇所への設置を適合化し，明るく目に優しい防犯灯，防災灯としての機能を向上させ得る．
【図面の簡単な説明】
【００２７】
【図１】ＬＥＤ照明装置の光源板例１  （１）正面  （２）下面  （３）側面
【図２】ＬＥＤ照明装置の光源板例２（下面）
【符号の説明】
【００２８】    １  ＬＥＤ
２  ＬＥＤ照明光源板
３  光源板支え軸
４  光源板支え軸受け金具
５  面数の少ない多面体形状ＬＥＤ照明光源板
６  面数の多い多面体形状ＬＥＤ照明光源板
７  光源板固定箱
【図１】
2006310238.tif 000003
【図２】
2006310238.tif 000004